(57)【要約】【課題】地図を見難くすることなく、地図上において施設の出入り口が面する道路を表し得る「地図表示装置」を提供することである。【解決手段】表示部１３に、地図とともに、該地図上の施設のある位置に当該施設に対応するマークを表示させる地図表示装置であって、施設に対応するマークの前記表示部での表示の向きを表す表示向き情報を当該施設に対応づけて記憶する記憶手段１４と、前記表示部１３に、前記地図とともに、施設に対応するマークを前記記憶手段に当該施設に対応づけて記憶された表示向き情報にて表される向きに表示させる表示制御手段１１とを有する構成となる。【選択図】図６
2014219461.tif 000002
【特許請求の範囲】
【請求項１】
表示部に、地図とともに、該地図上の施設のある位置に当該施設に対応するマークを表示させる地図表示装置であって、
施設に対応するマークの前記表示部での表示の向きを表す表示向き情報を当該施設に対応づけて記憶する記憶手段と、
前記表示部に、前記地図とともに、施設に対応するマークを前記記憶手段に当該施設に対応づけて記憶された表示向き情報にて表される向きに表示させる表示制御手段とを有する地図表示装置。
【請求項２】
前記表示制御手段は、操作部にて所定の操作がなされたときに、前記表示部に所定の向きにて表示されていた前記施設に対応するマークを、前記記憶手段に当該施設に対応づけて記憶された表示向き情報にて表される向きになるように前記表示部に表示させる請求項１記載の地図表示装置。
【請求項３】
移動体に搭載される前記地図表示装置であって、
前記移動体の所定範囲内にある施設を検出する施設検出手段を有し、
前記表示制御手段は、前記施設検出手段にて検出された施設に対応するマークを前記記憶手段に当該施設に対応づけて記憶された表示向き情報にて表される向きに表示させる請求項１または２記載の地図表示装置。
【発明の詳細な説明】
【技術分野】
【０００１】
本発明は、表示部に、コンビニエンスストア、ガソリンスタンド等の施設に対応したマークを地図とともに表示させる地図表示装置に関する。
【背景技術】
【０００２】
ナビゲーション装置（地図表示装置を含む）では、一般に、地図とともに、地図上のコンビニエンスストアやガソリンスタンド等の施設のある位置に当該施設に対応するマーク（企業ロゴ等）を表示させている。このように地図上に表示されるマークにより、その施設の位置やその施設の運営主体（企業名等）を簡潔に利用者に伝えることができる。このようなマークを地図上に表示する場合、その見易さを考慮して、例えば、図７に示すように、各施設に対応するマークＭ１、Ｍ２を正立した状態で見ることができるように、各マークＭ１、Ｍ２の上下方向Ｄが、表示画面の上下方向（例えば、地図の北南方向）に合致するように表示される。
【０００３】
しかしながら、各施設の周囲に複数の道路が隣接している場合、対応するマークからは、その施設の出入り口がどの道路に面しているかが分からない。例えば、図７に示す例では、地図上の道路１００と道路１１０とに隣接して表示されるマークＭ１からは、そのマークＭ１に対応する施設の出入り口が、道路１００及び道路１１０のいずれに面しているかを知ることができない。また、地図上の道路１１０と１２０とに隣接して表示されるマークＭ２からは、そのマークＭ２に対応する施設の出入り口が、道路１１０及び道路１２０のいずれに面しているかを知ることができない。このため、表示画面に表示される地図を確認しながら車両を運転する利用者は、施設の出入り口にスムーズにたどり着けないことがある。
【０００４】
そこで、従来、地図上に施設に対応するマークとともに、出入り口の位置を示す矢印等の追加的なマークを表示させることが提案されている（特許文献１、特許文献２参照）。このような地図表示装置によれば、地図上の施設のある位置に表示される当該施設に対応するマークによって、その施設の位置とその施設の運営主体を簡潔に提示することができるとともに、前記追加的なマークによって施設への出入り口が面する道路を提示することができる。
【先行技術文献】
【特許文献】
【０００５】
【特許文献１】特開２００３−１５６３４５号公報
【特許文献２】特開２０１２−１６８０２９号公報
【発明の概要】
【発明が解決しようとする課題】
【０００６】
しかしながら、前述した従来の地図表示装置では、施設に対応したマークの近傍に追加的なマークを表示しなければならないので、道路、番地名、道路名等をこまごまと表す地図上に施設に対応したマークを表示するとともにその近傍に更に追加的なマークを表示しなければならす、その追加的なマークが小さくなって、見難く、更に、種々の施設に対応したマークに更に追加的なマークが表示されることから、地図全体も見難くなってしまう。
【０００７】
本発明は、このような事情に鑑みてなされたもので、地図を見難くすることなく、地図上において施設の出入り口が面する道路を表し得る地図表示装置を提供するものである。
【課題を解決するための手段】
【０００８】
本発明に係る地図表示装置は、表示部に、地図とともに、該地図上の施設のある位置に当該施設に対応するマークを表示させる地図表示装置であって、施設に対応するマークの前記表示部での表示の向きを表す表示向き情報を当該施設に対応づけて記憶する記憶手段と、前記表示部に、前記地図とともに、施設に対応するマークを前記記憶手段に当該施設に対応づけて記憶された表示向き情報にて表される向きに表示させる表示制御手段とを有する構成となる。
【０００９】
このような構成により、表示部には、地図とともに、該地図上の施設のある位置に当該施設に対応するマークが、記憶手段に当該施設に対応づけて記憶された表示向き情報にて表される向きにて表示される。
【００１０】
本発明に係る地図表示装置において、前記表示制御手段は、操作部にて所定の操作がなされたときに、前記表示部に所定の向きにて表示されていた前記施設に対応するマークを、前記記憶手段に当該施設に対応づけて記憶された表示向き情報にて表される向きになるように前記表示部に表示させる構成とすることができる。
【００１１】
このような構成により、地図上の施設のある位置に当該施設に対応するマークが所定の向きにて表示された状況において、操作部にて所定の操作がなされると、表示部に地図とともに表示される前記施設に対応するマークの向きが、記憶手段に当該施設に対応づけて記憶された表示向き情報にて表される向きに変更される。
【００１２】
また、本発明に係る地図表示装置において、移動体に搭載される前記地図表示装置であって、前記移動体の所定範囲内にある施設を検出する施設検出手段を有し、前記表示制御手段は、前記施設検出手段にて検出された施設に対応するマークを前記記憶手段に当該施設に対応づけて記憶された表示向き情報にて表される向きに表示させる構成とすることができる。
【００１３】
このような構成により、移動する移動体の所定範囲内にある施設に対応するマークが、記憶手段に前記施設に対応づけて記憶された表示向き情報にて表される向きにて表示される。
【発明の効果】
【００１４】
本発明によれば、表示部に、地図とともに、該地図上の施設のある位置に当該施設に対応するマークが、記憶手段に当該施設に対応づけて記憶された表示向き情報にて表される向きにて表示されるので、施設に対応づけて記憶手段に記憶される表示向き情報を、当該施設の出入り口に面する道路の方向を表し得るマークの向きを表すものとすることにより、地図上に何ら追加的なマークを表示することなく、即ち、地図を見難くすることなく、地図上に表示される施設に対応するマークの向きによって、地図上において当該施設の出入り口が面する道路を表すことができる。
【図面の簡単な説明】
【００１５】
【図１】本発明の実施の形態に係る地図表示装置を含むナビゲーション装置を示すブロック図である。
【図２】各施設とマークの表示向きを表す表示向き情報とを対応づける施設マーク・テーブルを示す図である。
【図３】施設に対応するマークの基準方向を示す図である。
【図４Ａ】施設に対応するマークが表し得る方向の例を示す図である。
【図４Ｂ】施設に対応するマークが表し得る方向の例を示す図である。
【図５】施設に対応するマークの表示向きを制御する処理の手順を示すフローチャートである。
【図６】施設に対応するマークの表示例を示す図である。
【図７】従来の地図表示装置に表示される施設に対応するマークの表示例を示す図である。
【発明を実施するための形態】
【００１６】
本発明の実施の形態について図面を用いて説明する。
【００１７】
本発明の実施の一形態に係る地図表示装置を含むナビゲーション装置は、図１に示すように構成される。このナビゲーション装置は、車両に搭載されている。
【００１８】
図１において、ナビゲーション装置１００は、コンピュータユニット（ＣＰＵを含む）によって構成される処理ユニット１１を有している。処理ユニット１１は、ＧＰＳ受信器、加速度センサ、車輪速センサ、ジャイロ等のナビゲーション・センサ群１７が接続され、また、記憶部１４（例えば、ハードディスクドライブ）が接続されている。記憶部１４には、処理ユニット１１での処理に必要な各種情報、特に、道路リンクの情報を含む地図情報、施設に関する情報、施設に対応するマークに関する情報等の地図表示やナビゲーション処理に必要な情報が格納されている。
【００１９】
処理ユニット１１には、ＬＣＤ等で構成され、各種情報を表示する表示部１３、表示部１３上のタッチパネルや操作ボタン等で構成され、処理に対する指示や各種情報を入力するために用いられる操作部１２及びスピーカ１６に接続される出力回路１５が接続されている。処理ユニット１１は、記憶部１４に格納された地図情報や施設に対応するマークに関する情報等に基づいて表示部１３に地図を表示させたり、操作部１２の操作により目的地として指定された施設までの経路を探索する処理を行ったり、更に、ナビゲーション・センサ群１７からの各種検出信号に基づいて車両の位置を検出し、その検出位置情報や地図情報を用いて、前記探索により得られた経路に沿って車両を誘導するためのナビゲーション処理を行う。そして、処理ユニット１１は、ナビゲーション処理により、表示部１３に地図とともに車両の位置を表すマークを表示させ、車両を前記経路に沿って誘導するための音声案内がスピーカ１６から出力されるように、音声信号を出力回路１５に出力する。
【００２０】
記憶部１４には、前記施設のマークに関する情報として、コンビニエンスストア、ガソリンスタンド、ファーストフード店、娯楽施設等の施設に対応するマーク（企業ロゴ等）を表す画像データと、例えば、図２に示すような、各施設とマークの表示向きを表す表示向き情報θとを対応づける施設マーク・テーブルとが記憶されている。図２に示す施設マーク・テーブルでは、各施設を特定する施設ＩＤに、その施設の位置（Ｘｉ，Ｙｉ）とその施設に対応するマークの表示の向きを表す表示向き情報θｉとが対応づけられている。この表示向き情報θｉは、図３に示すようにマークＭに設定される基準方向Ａの、地図における北方向（Ｎ）に対する角度で表される。マークＭの基準方向Ａは、どのように設定してもよいが、例えば、図３に示すように、正立状態にあるマークＭの下部から上部に向かう方向に設定される。
【００２１】
施設に対応するマークの形態（形状、配色を含む）は、通常、単色の円のようにどのような向きにして見ても同じというものではなく、そのマークの向きに応じて見える形態が異なる。このことから、マークの向き（見える形態）によって、対応する施設に対するある方向を利用者が理解できるように表すことができる。例えば、図４Ａ及び図４Ｂに示すように、上部及び下部が明らかな形態（形状）となるマークＭの場合、当該マークＭの下部が向く方向（図４Ａ及び図４Ｂにおける太い矢印参照）により、当該マークＭに対応する施設のある特定の方向、例えば、施設の出入り口が面する道路の方向を地図上で表すことができる。
【００２２】
従って、前記マークＭの下部の向く方向が、当該マークＭに対応する施設の出入り口が面する道路の方向となるように、当該マークＭの基準方向Ａ（図３参照）の地図における北方向（Ｎ）に対する角度が表示向き情報θとして施設マーク・テーブル（図２参照）において当該施設（施設ＩＤ）に対応づけられる。
【００２３】
処理ユニット１１は、記憶部１４に格納された地図情報及び施設に対応するマークに関する情報に基づいて表示部１３に地図を表示するとともに、該地図上の施設のある位置に当該施設に対応するマークを表示させる。この状態では、従来と同様、図７に示すように、各マークＭ１、Ｍ２が、その上下方向Ｄが表示部１３の画面の上下方向（地図の北南方向）に合致するように表示される。これにより、利用者は、表示部１３に地図とともに表示される各マークＭ１、Ｍ２を正立した状態で見ることができる。なお、図示されていないが、処理ユニット１１は、ナビゲーション・センサ類１７からの検出信号に基づいて車両の位置を検出し、その検出された車両の位置に基づいて、表示部１３の地図上に車両の位置を表すマークを表示させる。
【００２４】
上述したように表示部１３に地図とともに施設に対応するマークが表示された状態（図７参照）で、処理ユニット１１は、図５に示す手順に従って、地図上に表示される施設に対応するマークの表示向きを制御する。
【００２５】
処理ユニット１１は、施設に対応するマークの表示向きを変更するための操作が操作部１２にてなされたか否かを繰り返し判定している（Ｓ１１）。操作部１２にて施設に対応するマークの表示向きを変更するための操作がなされると（Ｓ１１でＹＥＳ）、処理ユニット１１は、ナビゲーション・センサ類１７からの検出信号に基づいて車両の位置を検出し、記憶部１４に格納された施設に関する情報に基づいて、前記車両の検出位置を含む所定範囲内（車両の近傍領域としてそのサイズが予め決められている）に存在するコンビニエンスストア、ガソリンスタンド、ファーストフード店、娯楽施設等の施設を検索する（Ｓ１２：施設検出手段）。前記検索の結果、前記所定範囲内に存在する施設があれば（Ｓ１３でＹＥＳ）、処理ユニット１１は、記憶部１４に格納された施設マーク・テーブル（図３参照）を用いて、検索により得られた施設に対応した表示向き情報θｉを取得し、表示部１３に表示されるその施設に対応するマークを前記表示向き情報θｉにて表される向きになるように表示させる（Ｓ１４：表示制御手段）。
【００２６】
その結果、例えば、図７に示すように表示部１３に表示される、道路１００と道路１１０の交差点の角にある施設に対応したマークＭ１の向きは、図６に示すように、前記表示向き情報θｉ（地図の北方向（Ｎ）に対して２７０°）にて表される向きに変更される。この場合、マークＭ１は、その下部が道路１１０に向くように表示されるので、このマークＭ１の表示の向きから、マークＭ１に対応する施設の出入り口は、道路１１０に面していることを利用者に示すことができる。また、例えば、図７に示すように表示部１３に表示される、道路１１０と道路１２０との交差点の角にある施設に対応したマークＭ２の向きは、図６に示すように、前記表示向き情報θｊ（地図の北方向（Ｎ）に対して４５°）にて表される向きに変更される。この場合、マークＭ２は、その下部が道路１１０と道路１２０の双方に向くように表示されるので、このマークＭ２の表示の向きから、マークＭ２に対応する施設の出入り口は、道路１１０と道路１２０の双方に面していることを利用者に示すことができる。
【００２７】
上記のようにして表示部１３に地図とともに表示される施設に対応したマークＭ１、Ｍ２の表示の向きを変えた（図６参照）後、処理ユニット１１は、それら施設に対応したマークＭ１、Ｍ２の向きを元に戻すための操作が操作部１２にてなされたか否かを繰り返し判定する（Ｓ１５）。そして、操作部１２にてそのような操作がなされると（Ｓ１５でＹＥＳ）、処理ユニット１１は、表示部１３に地図とともに表示した施設に対応したマークＭ１、Ｍ２を元の向き（図７参照）に変更させて、施設に対応するマークの表示向きの制御に係る処理を終了させる。
【００２８】
なお、上述した処理において、前記検索の結果、車両の検出位置を含む前記所定範囲内に存在する施設がなければ（Ｓ１３でＮＯ）、処理ユニット１１は、当該施設に対応するマークの表示向きの制御に係る処理をそのまま終了させる。
【００２９】
前述したようなナビゲーション装置１００における地図表示装置によれば、表示部１３に、地図とともに、該地図上の施設のある位置に当該施設に対応するマークＭ１、Ｍ２が、記憶部１４に格納された施設マーク・テーブルにおいて当該施設に対応づけられた表示向き情報θｉにて表される向きにて表示され、その表示向き情報θｉが、当該施設の出入り口に面する道路の方向を表し得るマークＭ１、Ｍ２の向きを表すものとなっているので（図６参照）、地図上に何ら追加的なマークを表示することなく、即ち、地図を見難くすることなく、地図上に表示される施設に対応するマークＭ１、Ｍ２の向きによって、地図上において当該施設の出入り口が面する道路を表すことができる。
【００３０】
また、操作部１２にて所定の操作がなされたときに、施設に対応するマークＭ１、Ｍ２の表示の向きが変えられるので、施設の出入り口が面する道路を知る必要がない場合には、そのような操作を行わないことにより、表示部１３に地図とともに表示される各マークＭ１、Ｍ２をその見易さを優先した向き（例えば、図７に示すように、マークＭ１、Ｍの上下方向が表示部１３の画面の上下方向に合致）に維持させることができる。
【００３１】
また、車両の検出位置を含む所定範囲内の施設について、その施設に対応するマークＭ１、Ｍ２の向きを制御するようにしているので、全てのマークについての制御を行う場合に比べて、その処理が容易になる。
【００３２】
なお、前述したナビゲーション装置における地図表示装置では、操作部１２にて所定の操作がなされたときに、車両の検出位置を含む処理範囲内の施設について、その施設に対応するマークＭ１、Ｍ２の向きを制御するようにしたが、全ての施設について、前記所定の操作がなされたときに、または、常に、その施設に対応するマークの表示の向きを、その施設の出入り口に面する道路を示し得る（図６参照）ように表示させていてもよい。
【産業上の利用可能性】
【００３３】
本発明に係る地図表示装置は、地図を見難くすることなく、地図上において施設の出入り口が面する道路を表し得るという効果を有し、表示部に、コンビニエンスストア、ガソリンスタンド等の施設に対応したマークを地図とともに表示させる地図表示装置として有用である。
【符号の説明】
【００３４】
１１  処理ユニット
１２  操作部
１３  表示部
１４  記憶部
１５  出力回路
１６  スピーカ
１７  ナビゲーション・センサ群
【図１】
2014219461.tif 000003
【図２】
2014219461.tif 000004
【図３】
2014219461.tif 000005
【図４Ａ】
2014219461.tif 000006
【図４Ｂ】
2014219461.tif 000007
【図５】
2014219461.tif 000008
【図６】
2014219461.tif 000009
【図７】
2014219461.tif 000010